(57)【要約】【課題】サイトに置かれたコンテンツの主従関係、リンク状態等により表されるコンテンツの総合的な管理状態を認識容易とすることで、適切且つ容易にサイトを管理し得るシステム及びプログラムを提供する。【解決手段】本発明のサイト管理システムによれば、第１処理ユニット１１０がコンテンツサーバ２１０との通信によりコンテンツの「階位」を認識する。また、第２処理ユニット１２０がコンテンツサーバ２１０との通信によりコンテンツの「リンク状態」を認識する。さらに第３処理ユニット１３０がログサーバ２２０との通信によりコンテンツの「アクセス履歴」を認識する。そして、画像制御ユニット１４０が、コンテンツの「階位」「リンク状態」又は「アクセス履歴」が、第１アイコン（コンテンツを表す。）及び第２アイコン（リンク状態を表す。）のうち一方又は両方の表示形態に反映された画像を、画像表示装置１０２に表示させる。【選択図】  図１
2005293251.tif 000002
【特許請求の範囲】
【請求項１】
ネットワーク上で閲覧可能なコンテンツが置かれているサイトを管理するシステムであって、
コンテンツが管理されている第１システムとの通信に基づき、コンテンツの階位を認識する第１処理手段と、
コンテンツが管理されている第２システムとの通信に基づき、該コンテンツのリンク状態を認識する第２処理手段と、
コンテンツへのアクセス履歴を特定するアクセスログ情報が管理されている第３システムとの通信に基づき、コンテンツへのアクセス履歴を認識する第３処理手段と、
第１処理手段により認識されたコンテンツの階位が該コンテンツを表す第１アイコンの仮想空間における位置に反映され、第２処理手段により認識されたコンテンツのリンク状態が該コンテンツを表す第１アイコン及び該コンテンツのリンクを表す第２アイコンのうち一方又は両方の表示形態に反映され、且つ、第３処理手段により認識されたコンテンツへのアクセス履歴が該コンテンツを表す第１アイコン及び該コンテンツのリンクを表す第２アイコンのうち一方又は両方の表示形態に反映された画像を、画像表示装置に表示させる画像制御手段とを備えていることを特徴とするサイト管理システム。
【請求項２】
第１処理手段が、上位ディレクトリ内のコンテンツの階位が、該上位ディレクトリに従属する下位ディレクトリ内のコンテンツの階位よりも上位であり、且つ、ディレクトリの代表コンテンツの階位が、該ディレクトリ内の他のコンテンツの階位より上位であるという規則に従ってコンテンツの階位を認識することを特徴とする請求項１記載のサイト管理システム。
【請求項３】
第２処理手段が、コンテンツのリンク状態として、該コンテンツと所定コンテンツとのリンク経路の有無を認識し、
前記画像制御手段が、第２処理手段により認識されたコンテンツと該所定コンテンツとのリンク経路の有無が該コンテンツを表す第１アイコン及び該コンテンツのリンクを表す第２アイコンのうち一方又は両方の表示形態に反映された画像を、前記画像表示装置に表示させることを特徴とする請求項１記載のサイト管理システム。
【請求項４】
第２処理手段が、コンテンツのリンク状態として、該コンテンツと所定コンテンツとのリンク経路に含まれるリンク数を認識し、
前記画像制御手段が、コンテンツと該所定コンテンツとのリンク経路に含まれるリンク数が該コンテンツを表す第１アイコン及び該コンテンツのリンクを表す第２アイコンのうち一方又は両方の表示形態に反映された画像を前記画像表示装置に表示させることを特徴とする請求項１記載のサイト管理システム。
【請求項５】
第２処理手段が、コンテンツのリンク状態として、該コンテンツと所定コンテンツとのリンク経路数を認識し、
前記画像制御手段が、コンテンツと該所定コンテンツとのリンク経路数が、該コンテンツを表す第１アイコン及び該コンテンツのリンクを表す第２アイコンのうち一方又は両方の表示形態に反映された画像を、前記画像表示装置に表示させることを特徴とする請求項１記載のサイト管理システム。
【請求項６】
第２処理手段が、前記所定コンテンツとして、第１処理手段により認識された階位が第１位であるコンテンツを認識することを特徴とする請求項３、４又は５記載のサイト管理システム。
【請求項７】
第２処理手段が、前記画像表示装置に表示された第１アイコンにより表されるコンテンツの、ユーザによる指定を可能とするコンテンツ指定用手段との通信に基づき、該ユーザによる指定コンテンツを前記所定コンテンツとして認識することを特徴とする請求項３、４又は５記載のサイト管理システム。
【請求項８】
第１処理手段が、階層認識の過程でコンテンツがディレクトリの代表コンテンツであることを認識し、
前記画像制御手段が、第１処理手段により認識された代表コンテンツであることが、該代表コンテンツを表す第１アイコン及び該コンテンツのリンクを表す第２アイコンのうち一方又は両方の表示形態に反映された画像を、前記画像表示装置に表示させることを特徴とする請求項１、２、３、４、５、６又は７記載のサイト管理システム。
【請求項９】
前記第１システムとの通信に基づき、コンテンツを通じて閲覧可能な情報の種類を認識する第４処理手段を備え、
前記画像制御手段が、第４処理手段により認識されたコンテンツの情報の種類が該コンテンツを表す第１アイコン及び該コンテンツのリンクを表す第２アイコンのうち一方又は両方の表示形態に反映された画像を、前記画像表示装置に表示させることを特徴とする請求項１、２、３、４、５、６、７又は８記載のサイト管理システム。
【請求項１０】
第２処理手段が、コンテンツのリンク状態として、該コンテンツを基準としたリンク方向を認識し、
前記画像制御手段が、第２処理手段により認識された、コンテンツを基準としたリンク方向が該コンテンツを表す第１アイコン及び該コンテンツのリンクを表す第２アイコンのうち一方又は両方の表示形態に反映された画像を、前記画像表示装置に表示させることを特徴とする請求項１、２、３、４、５、６、７、８又は９記載のサイト管理システム。
【請求項１１】
前記画像制御手段が、第２処理手段により認識された、コンテンツを基準としたリンク方向が該コンテンツを表す第１アイコンに対応付けられた第２アイコンとしての矢印の方向に反映された画像を、前記画像表示装置に表示させることを特徴とする請求項１０記載のサイト管理システム。
【請求項１２】
第２処理手段が、コンテンツのリンク状態として、該コンテンツと他のコンテンツとのリンクの有無を認識し、
前記画像制御手段が、第２処理手段により認識されたコンテンツと他のコンテンツとのリンクの有無が該コンテンツ及び他のコンテンツを表す第１アイコンに対応付けられた第２アイコンの有無に反映された画像を、前記画像表示装置に表示させることを特徴とする請求項１〜１１のうちいずれかに記載のサイト管理システム。
【請求項１３】
第２処理手段が、コンテンツのリンク状態として、該コンテンツから他のコンテンツへのリンクが、どれだけの階位変化を伴うリンクであるかを認識し、
前記画像制御手段が、第２処理手段に認識された、コンテンツから他のコンテンツへのリンクがどれだけの階位変化を伴うリンクであるかが、該コンテンツ及び他のコンテンツを表す第１アイコン及び該コンテンツのリンクを表す第２アイコンのうち一方又は両方の表示形態に反映された画像を前記画像表示装置に表示させることを特徴とする請求項１〜１２のうちいずれかに記載のサイト管理システム。
【請求項１４】
第２処理手段が、コンテンツのリンク状態として、該コンテンツから他のコンテンツへのリンクが、上位、下位及び同位コンテンツのうちいずれへのリンクであるかを認識し、
前記画像制御手段が、第２処理手段により認識された、コンテンツから他のコンテンツへのリンクが、上位、下位及び同位コンテンツのうちいずれへのリンクであるかが、該コンテンツ及び他のコンテンツを表す第１アイコン及びこれらに対応付けられた第２アイコンのうち一方又は両方の表示形態に反映された画像を、前記画像表示装置に表示させることを特徴とする請求項１〜１３のうちいずれかに記載のサイト管理システム。
【請求項１５】
第２処理手段が、コンテンツのリンク状態として、該コンテンツと、該コンテンツと同時に閲覧可能な付属コンテンツとのリンクであることを認識し、
前記画像制御手段が、第２処理手段により認識された、コンテンツと他のリンクとのリンクが、該コンテンツとその付属コンテンツとのリンクであることが、該コンテンツ及び付属コンテンツを表す第１アイコン及びこれらに対応付けられた第２アイコンのうち一方又は両方の表示形態に反映された画像を、前記画像表示装置に表示させることを特徴とする請求項１〜１４のうちいずれかに記載のサイト管理システム。
【請求項１６】
第２処理手段が、コンテンツのリンク状態として、該コンテンツと、第１処理手段による階位認識対象外の外部コンテンツとの外部リンクであることを認識し、
前記画像制御手段が、第２処理手段により認識された、コンテンツのリンクが外部リンクであることが、該コンテンツを表す第１アイコン及び該コンテンツのリンクを表す第２アイコンのうち一方又は両方の表示形態に反映された画像を、前記画像表示装置に表示させることを特徴とする請求項１〜１５のうちいずれかに記載のサイト管理システム。
【請求項１７】
前記画像制御手段が、前記画像表示装置に表示された第１アイコンにより表されるコンテンツの、ユーザによる指定を可能とするコンテンツ指定用手段との通信に基づき、ユーザによる指定コンテンツを認識した上で、該指定コンテンツについて第３処理手段により認識されたアクセス履歴を含む画像を、該画像表示装置に表示させることを特徴とする請求項１〜１６のうちいずれかに記載のサイト管理システム。
【請求項１８】
前記画像制御手段が、前記画像表示装置に表示された第２アイコンにより表されるリンクの、ユーザによる指定を可能とするリンク指定用手段との通信に基づき、ユーザによる指定リンクを認識した上で、該指定リンクによりリンクされたコンテンツについて第３処理手段により認識されたアクセス履歴を含む画像を、該画像表示装置に表示させることを特徴とする請求項１〜１７のうちいずれかに記載のサイト管理システム。
【請求項１９】
第３処理手段が、コンテンツのアクセス履歴として、該コンテンツへのアクセス頻度を認識可能であり、
前記画像表示装置が、第３処理手段により認識されたコンテンツへのアクセス頻度が、該コンテンツを表す第１アイコン及び該コンテンツのリンクを表す第２アイコンのうち一方又は両方のサイズに反映された画像を、前記画像表示装置に表示させることを特徴とする請求項１〜１８のうちいずれかに記載のサイト管理システム。
【請求項２０】
第３処理手段が、コンテンツのアクセス履歴として、該コンテンツへのアクセス経路の種類ごとのアクセス頻度を認識し、
前記画像制御手段が、第３処理手段により認識されたコンテンツへのアクセス経路の種類ごとのアクセス頻度が、該コンテンツを表す第１アイコン及び該コンテンツのリンクを表す第２アイコンのうち一方又は両方の表示形態に反映された画像を、前記画像表示装置に表示させることを特徴とする請求項１〜１９のうちいずれかに記載のサイト管理システム。
【請求項２１】
前記画像制御手段が、第３処理手段により認識されたコンテンツへのアクセス経路の種類ごとのアクセス頻度が、該コンテンツを表す第１アイコンにおける該アクセス経路の種類ごとの部分のサイズに反映された画像を、前記画像表示装置に表示させることを特徴とする請求項２０記載のサイト管理システム。
【請求項２２】
第３処理手段が、コンテンツの前記アクセス経路の種類として、該コンテンツのリンク経路と、その他の飛び込み経路とを認識することを特徴とする請求項１０又は２１記載のサイト管理システム。
【請求項２３】
前記画像制御手段が、前記画像表示装置に表示される画像の視点のユーザによる設定を可能とする視点設定用手段との通信に基づき、ユーザによる設定視点を認識するとともに、該設定視点からの画像を、該画像表示装置に表示させることを特徴とする請求項１〜２２のうちいずれかに記載のサイト管理システム。
【請求項２４】
ネットワーク上で閲覧可能なコンテンツが置かれているサイトを管理する機能を任意のコンピュータに付与するプログラムであって、
コンテンツが管理されている第１システムとの通信に基づき、コンテンツの階位を認識する第１処理機能と、
コンテンツが管理されている第２システムとの通信に基づき、該コンテンツのリンク状態を認識する第２処理機能と、
コンテンツへのアクセス履歴を特定するアクセスログ情報が管理されている第３システムとの通信に基づき、コンテンツへのアクセス履歴を認識する第３処理機能と、
第１処理機能により認識されたコンテンツの階位が該コンテンツを表す第１アイコンの仮想空間における位置に反映され、第２処理機能により認識されたコンテンツのリンク状態が該コンテンツを表す第１アイコン及び該コンテンツのリンクを表す第２アイコンのうち一方又は両方の表示形態に反映され、且つ、第３処理機能により認識されたコンテンツへのアクセス履歴が該コンテンツを表す第１アイコン及び該コンテンツのリンクを表す第２アイコンのうち一方又は両方の表示形態に反映された画像を、画像表示装置に表示させる画像制御機能とを、インストール先のコンピュータに付与することを特徴とするサイト管理プログラム。
【発明の詳細な説明】
【技術分野】
【０００１】
本発明は、ネットワーク上で閲覧可能なコンテンツが置かれているサイトを管理するシステムに関する。また、本発明は、ネットワーク上で閲覧可能なコンテンツが置かれているサイトを管理する機能を任意のコンピュータに付与するプログラムに関する。
【背景技術】
【０００２】
サイト（ウェブサイト）の管理者にとって、サイトにどのようなコンテンツを置くかとか、複数のコンテンツをどのようにリンクさせるかは重要な関心事項である。
【０００３】
そこで、従来、サイト管理を支援するため、ウェブページ等のコンテンツへのユーザによるアクセス履歴を特定するアクセスログ情報を解析する手法が提案されている（例えば、特許文献１、２参照）。当該手法によれば、例えば、ユーザのコンピュータに時系列的に記憶されたアクセスログ情報が、このコンピュータからサーバに送信された上で解析される。そして、当該解析情報が表示されることにより、サイトや、サイトに置かれているコンテンツのユーザによる利用頻度等が把握可能となる。
【特許文献１】特開平１１−１２００３７号公報  ００１１〜００２５段落、図５、図６
【特許文献２】特開２００２−３２８８６３号公報  ００４８〜００５２段落、図１０〜１２
【発明の開示】
【発明が解決しようとする課題】
【０００４】
しかし、前記手法のようにアクセスログ情報が解析されるだけでは、コンテンツのリンク状態が把握しきれない。すなわち、アクセスログ情報によれば、例えば、ユーザがコンテンツＡからコンテンツＢに移動したことは把握されるが、コンテンツＡ及びコンテンツＢがリンクされているか否かは完全には把握され得ない。また、アクセスログ情報によれば、アクセスログ情報に含まれないコンテンツの存在や、当該コンテンツの上下関係（主従関係）やリンク状態は把握され得ない。
【０００５】
これでは、コンテンツの変更・削除等の要否や、コンテンツの主従関係やリンク状態の修正の要否が検討され得ず、サイトの管理方針が適切に決定され得ない。
【０００６】
そこで、本発明は、サイトに置かれたコンテンツの主従関係、リンク状態等により表されるコンテンツの総合的な管理状態を認識容易とすることで、適切且つ容易にサイトを管理し得るシステム及びプログラムを提供することを解決課題とする。
【課題を解決するための手段】
【０００７】
前記課題を解決するための本発明のサイト管理システムは、コンテンツが管理されている第１システムとの通信に基づき、コンテンツの階位を認識する第１処理手段と、コンテンツが管理されている第２システムとの通信に基づき、該コンテンツのリンク状態を認識する第２処理手段と、コンテンツへのアクセス履歴を特定するアクセスログ情報が管理されている第３システムとの通信に基づき、コンテンツへのアクセス履歴を認識する第３処理手段と、第１処理手段により認識されたコンテンツの階位が該コンテンツを表す第１アイコンの仮想空間における位置に反映され、第２処理手段により認識されたコンテンツのリンク状態が該コンテンツを表す第１アイコン及びそのリンクを表す第２アイコンのうち一方又は両方の表示形態に反映され、且つ、第３処理手段により認識されたコンテンツへのアクセス履歴が該コンテンツを表す第１アイコン及びそのリンクを表す第２アイコンのうち一方又は両方の表示形態に反映された画像を、画像表示装置に表示させる画像制御手段とを備えていることを特徴とする。
【０００８】
本発明のサイト管理システムによれば、第１処理手段が、第１システムとの通信に基づきコンテンツの「階位」を認識する。また、第２処理手段が、第２システムとの通信に基づきコンテンツの「リンク状態」を認識する。さらに、第３処理手段が、第３システムとの通信に基づきコンテンツへの「アクセス履歴」を認識する。そして、画像制御手段が、第１、第２及び第３処理手段による認識に応じた画像を画像表示装置に表示させる。なお、第１システム及び第２システムは共通のシステムであってもよい。
【０００９】
これにより、コンテンツを表す第１アイコンの仮想空間における位置に反映されたコンテンツの「階位」をユーザ（サイト管理者）に視覚を通じて把握させることができる。仮想空間における位置には、２次元及び３次元の仮想空間における位置が含まれる。また、コンテンツを表す第１アイコン及びそのリンクを表す第２アイコンのうち一方又は両方の表示形態に反映されたコンテンツの「リンク状態」をユーザに視覚を通じて把握させることができる。さらに、コンテンツを表す第１アイコン及びそのリンクを表す第２アイコンのうち一方又は両方の表示形態に反映されたコンテンツの「アクセス履歴」をユーザに視覚を通じて把握させることができる。
【００１０】
従って、本発明のサイト管理システムによれば、ユーザは、画像表示装置に表示された画像を通じて、サイトに置かれたコンテンツの階位（主従関係）、リンク状態、アクセス履歴により表されるコンテンツの総合的な管理状態を容易に把握することができる。これにより、ユーザは、コンテンツの総合的な管理状態に応じた対処をすることで、適切且つ容易にサイトを管理・運営することができる。
【００１１】
なお、画像の「表示形態」とは、画像のデザイン（＝形状、色彩若しくは模様、又はこれらの組合せ）、画像の有無、画像の点滅等を意味している。また「デザイン」は静的なもののみならず、時間的に変化する動的なものも含まれる。サイトのリンク状態が反映された表示形態と、サイトのアクセス履歴が反映された表示形態とは区分して表示される。また、サイトのリンク状態が反映された表示形態は、リンク状態を表す項目ごとに区分して表示される。同様に、サイトのアクセス履歴が反映された表示形態は、アクセス履歴を表す項目ごとに区分して表示される。
【００１２】
本発明の構成要素であるＸが、Ｙとの通信に基づきＺを認識するとは、ＸがＹからＺを特定するデータを受信することや、ＸがＹからの受信データに基づきＺを決定、推定、測定したり、Ｙからの受信データに基づきデータベース等からＺを検索すること等を意味する。第１システム及び第２システムは本発明のコンテンツ管理システムとは別個のものであってもよく、本発明のコンテンツ管理システムに包含されていてもよい。
【００１３】
また、Ｘ及びＹがともに同一のコンピュータ等の装置の構成要素である場合、Ｘ及びＹの通信はこの装置内での通信を意味する。その一方、Ｘ及びＹがインターネット等のネットワークを介して通信可能に接続された別個の装置の構成要素である場合、Ｘ及びＹの通信とは、Ｘを構成要素とする装置と、Ｙを構成要素とする装置との当該ネットワークを介した通信を意味する。
【００１４】
さらに、本発明の構成要素であるＶが画像を画像表示装置に表示させるとは、Ｖが、Ｖを構成要素とするコンピュータ等の装置が有する画像表示装置に画像を表示させることや、Ｖが、画像データ、さらには必要に応じて画像表示用プログラムを、Ｖを構成要素とする装置とは別の装置にネットワークを介して送信し、当該別の装置が有する画像表示装置に画像を表示させること等を意味する。
【００１５】
また、本発明のサイト管理システムは、第１処理手段が、上位ディレクトリ内のコンテンツの階位が、該上位ディレクトリに従属する下位ディレクトリ内のコンテンツの階位よりも上位であり、且つ、ディレクトリの代表コンテンツの階位が、該ディレクトリ内の他のコンテンツの階位より上位であるという規則に従ってコンテンツの階位を認識することを特徴とする。
【００１６】
本発明によれば、ディレクトリの階位、代表コンテンツ及び非代表コンテンツの別に応じて、コンテンツの階位が認識される。このため、画像表示装置に表示される仮想空間における第１アイコンの位置を通じて、第１アイコンにより表されているコンテンツの属するディレクトリの階位等をユーザに視覚的に把握させることができる。
【００１７】
さらに、本発明のサイト管理システムは、第２処理手段が、コンテンツのリンク状態として、該コンテンツと所定コンテンツとのリンク経路の有無を認識し、前記画像制御手段が、第２処理手段により認識されたコンテンツと該所定コンテンツとのリンク経路の有無が該コンテンツを表す第１アイコン及びこれに対応付けられている第２アイコンのうち一方又は両方の表示形態に反映された画像を、前記画像表示装置に表示させることを特徴とする。
【００１８】
本発明のサイト管理システムによれば、ユーザは、画像表示装置に表示される第１アイコン及び第２アイコンのうち一方又は両方の表示形態を通じて、各コンテンツと所定コンテンツとの「リンク経路の有無」を把握することができる。コンテンツと所定コンテンツとの「リンク経路」とは、当該コンテンツと所定コンテンツとの直接的なリンクのほか、一又は複数のコンテンツとのリンクを含む、当該コンテンツと所定コンテンツとの間のリンクの連鎖を意味する。これにより、ユーザは、所定コンテンツとのリンク経路をもたないコンテンツを、当該所定コンテンツに直接的又は間接的にリンクさせる等の対処が可能となる。
【００１９】
また、本発明のサイト管理システムは、第２処理手段が、コンテンツのリンク状態として、該コンテンツと所定コンテンツとのリンク経路に含まれるリンク数を認識し、前記画像制御手段が、コンテンツと該所定コンテンツとのリンク経路に含まれるリンク数が該コンテンツを表す第１アイコン及びこれに対応付けられている第２アイコンのうち一方又は両方の表示形態に反映された画像を、前記画像表示装置に表示させることを特徴とする。
【００２０】
本発明のサイト管理システムによれば、ユーザは、画像表示装置に表示される第１アイコン及び第２アイコンのうち一方又は両方の表示形態を通じて、コンテンツと所定コンテンツとの「リンク経路に含まれるリンク数」を把握することができる。これにより、ユーザは、コンテンツと所定コンテンツとの中間にあるリンク状態を変更して両者のリンク経路に含まれるリンク数を調節する等の対処が可能となる。
【００２１】
さらに、本発明のサイト管理システムは、第２処理手段が、コンテンツのリンク状態として該コンテンツと所定コンテンツとのリンク経路数を認識し、前記画像制御手段が、コンテンツと該所定コンテンツとのリンク経路数が、該コンテンツを表す第１アイコン及びこれに対応付けられている第２アイコンのうち一方又は両方の表示形態に反映された画像を、前記画像表示装置に表示させることを特徴とする。
【００２２】
本発明のサイト管理システムによれば、ユーザは、画像表示装置に表示される第１アイコン及び第２アイコンのうち一方又は両方の表示形態を通じて、各コンテンツと所定コンテンツとの「リンク経路数」を把握することができる。そして、ユーザは、コンテンツと所定コンテンツとの中間にあるリンク状態を変更して両者のリンク経路数を調節する等の対処が可能となる。
【００２３】
また、本発明のサイト管理システムは、第２処理手段が、前記所定コンテンツとして、第１処理手段により認識された階位を、第１位であるコンテンツを認識することを特徴とする。
【００２４】
本発明のサイト管理システムによれば、ユーザは、画像表示装置に表示される画像を通じて、各コンテンツと第１位コンテンツとのリンク経路の有無、このリンク経路に含まれるリンク数、リンク経路数を把握することができる。
【００２５】
さらに、本発明のサイト管理システムは、第２処理手段が、前記画像表示装置に表示された第１アイコンにより表されるコンテンツの、ユーザによる指定を可能とするコンテンツ指定用手段との通信に基づき、該ユーザによる指定コンテンツを前記所定コンテンツとして認識することを特徴とする。
【００２６】
本発明のサイト管理システムによれば、ユーザは、画像表示装置に表示された画像を通じて、コンテンツ指定用手段を通じて自己又は他のユーザにより指定されたコンテンツと、各コンテンツとのリンク経路の有無等を把握することができる。
【００２７】
また、本発明のサイト管理システムは、第１処理手段が、階層認識の過程でコンテンツがディレクトリの代表コンテンツであることを認識し、前記画像制御手段が、第１処理手段により認識された代表コンテンツであることが、該代表コンテンツを表す第１アイコン及びこれに対応付けられている第２アイコンのうち一方又は両方の表示形態に反映された画像を、前記画像表示装置に表示させることを特徴とする。
【００２８】
本発明のサイト管理システムによれば、ユーザは、画像表示装置に表示された第１アイコン及び第２アイコンのうち一方又は両方の表示形態を通じて、コンテンツがディレクトリの代表コンテンツであるか否かを把握することができる。これにより、ユーザは、非代表コンテンツを代表コンテンツに変更する等の対処が可能となる。
【００２９】
さらに、本発明のサイト管理システムは、前記第１システムとの通信に基づき、コンテンツを通じて閲覧可能な情報の種類を認識する第４処理手段を備え、前記画像制御手段が、第４処理手段により認識されたコンテンツの情報の種類が該コンテンツを表す第１アイコン及びこれに対応付けられている第２アイコンのうち一方又は両方の表示形態に反映された画像を、前記画像表示装置に表示させることを特徴とする。
【００３０】
本発明のサイト管理システムによれば、ユーザは、画像表示装置に表示された第１アイコン及び第２アイコンのうち一方又は両方の表示形態を通じて、コンテンツの情報の種類を把握することができる。これにより、ユーザは、情報の種類が同一又は類似するコンテンツをリンクさせる等の対処が可能となる。
【００３１】
また、本発明のサイト管理システムは、第２処理手段が、コンテンツのリンク状態として、該コンテンツを基準としたリンク方向を認識し、前記画像制御手段が、第２処理手段により認識されたコンテンツを基準としたリンク方向が該コンテンツを表す第１アイコン及びそのリンクを表す第２アイコンのうち一方又は両方の表示形態に反映された画像を、前記画像表示装置に表示させることを特徴とする。
【００３２】
本発明のサイト管理システムによれば、ユーザは、画像表示装置に表示された第１アイコン及び第２アイコンのうち一方又は両方の表示形態を通じて、第１アイコンにより表されるコンテンツを基準とした「リンク方向」を把握することができる。「リンク方向」とは、例えば、コンテンツＡからコンテンツＢへの直接のアクセスが可能である場合、リンク方向はコンテンツＡからコンテンツＢの向きであるというように定義される。これにより、ユーザは、コンテンツＡ及びコンテンツＢを相互アクセス可能にリンクさせたり、コンテンツＢからコンテンツＡへの片道アクセスのみ可能にリンクさせる等の対処が可能となる。
【００３３】
さらに、本発明のサイト管理システムは、前記画像制御手段が、第２処理手段により認識されたコンテンツを基準としたリンク方向が該コンテンツを表す第１アイコンに対応付けられた第２アイコンとしての矢印の方向に反映された画像を、前記画像表示装置に表示させることを特徴とする。
【００３４】
本発明のサイト管理システムによれば、ユーザは、画像表示装置に表示された矢印（第２アイコン）の向きを通じて、矢印に対応付けられた第１アイコンにより表されるコンテンツのリンク方向を把握することができる。また、ユーザは、矢印の向きを通じてコンテンツのリンク方向を容易（直感的）に把握することができる。
【００３５】
また、本発明のサイト管理システムは、第２処理手段が、コンテンツのリンク状態として、該コンテンツと他のコンテンツとのリンクの有無を認識し、前記画像制御手段が、第２処理手段により認識されたコンテンツと他のコンテンツとのリンクの有無が、該コンテンツ及び該他のコンテンツを表す第１アイコンに対応付けられた第２アイコンの有無に反映された画像を、前記画像表示装置に表示させることを特徴とする。
【００３６】
本発明のサイト管理システムによれば、ユーザは、画像表示装置における２つの第１アイコンに対応付けられた第２アイコンの表示の有無を通じて、当該２つの第１アイコンにより表されるコンテンツ同士のリンクの有無を把握することができる。これにより、ユーザは、コンテンツ同士をリンクさせたり、コンテンツ同士のリンクを解除する等の対処が可能となる。
【００３７】
さらに、本発明のサイト管理システムは、第２処理手段が、コンテンツのリンク状態として、該コンテンツから他のコンテンツへのリンクが、どれだけの階位変化を伴うリンクであるかを認識し、前記画像制御手段が、第２処理手段に認識された、コンテンツから他のコンテンツへのリンクが、どれだけの階位変化を伴うリンクであるかが、該コンテンツ及び他のコンテンツを表す第１アイコン及びそのリンクを表す第２アイコンのうち一方又は両方の表示形態に反映された画像を、前記画像表示装置に表示させることを特徴とする。
【００３８】
本発明のサイト管理システムによれば、ユーザは、画像表示装置に表示された第１アイコン及び第２アイコンのうち一方又は両方の表示形態を通じて、一のコンテンツから他のコンテンツへのリンクが、どれだけの階位変化を伴うリンクであるかを把握することができる。これにより、ユーザは、コンテンツのリンク状態を変更する等の対処が可能となる。
【００３９】
また、本発明のサイト管理システムは、第２処理手段が、コンテンツのリンク状態として、該コンテンツから他のコンテンツへのリンクが、上位、下位及び同位コンテンツのうちいずれへのリンクであるかを認識し、前記画像制御手段が、第２処理手段により認識された、コンテンツから他のコンテンツへのリンクが、上位、下位及び同位コンテンツのうちいずれへのリンクであるかが、該コンテンツ及び他のコンテンツを表す第１アイコン及びこれらに対応付けられた第２アイコンのうち一方又は両方の表示形態に反映された画像を、前記画像表示装置に表示させることを特徴とする。
【００４０】
本発明のサイト管理システムによれば、ユーザは、画像表示装置に表示された第１アイコン及び第２アイコンのうち一方又は両方の表示形態を通じて、一のコンテンツから他のコンテンツへのリンクが、上位、下位及び同位コンテンツのうちいずれへのリンクであるかを把握することができる。これにより、ユーザは、コンテンツのリンク状態を変更する等の対処が可能となる。
【００４１】
さらに本発明のサイト管理システムは、第２処理手段が、コンテンツのリンク状態として、該コンテンツと、該コンテンツと同時に閲覧可能な付属コンテンツとのリンクであることを認識し、前記画像制御手段が、第２処理手段により認識されたコンテンツと他のリンクとのリンクが該コンテンツとその付属コンテンツとのリンクであることが、該コンテンツ及び付属コンテンツを表す第１アイコン及びこれらに対応付けられた第２アイコンのうち一方又は両方の表示形態に反映させた画像を前記画像表示装置に表示させることを特徴とする。
【００４２】
本発明のサイト管理システムによれば、ユーザは、画像表示装置に表示された第１アイコン及び第２アイコンのうち一方又は両方の表示形態を通じて、一のコンテンツと他のコンテンツとのリンクが、コンテンツとその付属コンテンツとのリンクであるか否かを把握することができる。これにより、ユーザは、コンテンツのリンク状態を変更する等の対処が可能となる。
【００４３】
また、本発明のサイト管理システムは、第２処理手段が、コンテンツのリンク状態として、該コンテンツと、第１処理手段による階位認識対象外の外部コンテンツとの外部リンクであることを認識し、前記画像制御手段が、第２処理手段により認識されたコンテンツのリンクが外部リンクであることが、該コンテンツを表す第１アイコン及びそのリンクを表す第２アイコンのうち一方又は両方の表示形態に反映させた画像を、前記画像表示装置に表示させることを特徴とする。
【００４４】
本発明のサイト管理システムによれば、ユーザは、画像表示装置に表示された第１アイコン及び第２アイコンのうち一方又は両方の表示形態を通じて、コンテンツとのリンクが「外部リンク」であるか否かを把握することができる。これにより、ユーザは、外部リンクのあるコンテンツの階位を上げる等の対処が可能となる。
【００４５】
さらに、本発明のサイト管理システムは、前記画像制御手段が、前記画像表示装置に表示された第１アイコンにより表されるコンテンツのユーザによる指定を可能とするコンテンツ指定用手段との通信に基づき、ユーザによる指定コンテンツを認識した上で、該指定コンテンツについて第３処理手段により認識されたアクセス履歴を含む画像を、該画像表示装置に表示させることを特徴とする。
【００４６】
本発明のサイト管理システムによれば、ユーザは、コンテンツ指定用手段を通じて、画像表示装置に表示された第１アイコンにより表されるコンテンツを指定することで、当該指定コンテンツのアクセス履歴を把握することができる。これにより、ユーザは、コンテンツの階位やリンク状態を変更する等の対処により、サイトを適切に管理することができる。
【００４７】
また、本発明のサイト管理システムは、前記画像制御手段が、前記画像表示装置に表示された第２アイコンにより表されるリンクのユーザによる指定を可能とするリンク指定用手段との通信に基づき、ユーザによる指定リンクを認識した上で、該指定リンクによりリンクされたコンテンツについて第３処理手段により認識されたアクセス履歴を含む画像を、該画像表示装置に表示させることを特徴とする。
【００４８】
本発明のサイト管理システムによれば、ユーザは、コンテンツ指定用手段を通じて、画像表示装置に表示された第２アイコンにより表されるリンクを指定することで、当該指定リンクによりリンクされたコンテンツへのアクセス履歴を把握することができる。これにより、ユーザは、コンテンツの階位やリンク状態を変更する等の対処が可能となる。
【００４９】
さらに、本発明のサイト管理システムは、本発明のサイト管理システムは、第３処理手段が、コンテンツのアクセス履歴として、該コンテンツへのアクセス頻度を認識可能であり、前記画像表示装置が、第３処理手段により認識されたコンテンツへのアクセス頻度が、該コンテンツを表す第１アイコン及びそのリンクを表す第２アイコンのうち一方又は両方のサイズに反映された画像を、前記画像表示装置に表示させることを特徴とする。
【００５０】
本発明のサイト管理システムによれば、ユーザは、画像表示装置に表示された第１アイコン及び第２アイコンのうち一方又は両方の表示形態を通じて、この第１アイコンにより表されるコンテンツのアクセス頻度を把握することができる。これにより、ユーザは、コンテンツの階位やリンク状態を変更する等の対処が可能となる。
【００５１】
また、本発明のサイト管理システムは、第３処理手段が、コンテンツのアクセス履歴として、該コンテンツへのアクセス経路の種類ごとのアクセス頻度を認識し、前記画像制御手段が、第３処理手段により認識されたコンテンツへのアクセス経路の種類ごとのアクセス頻度が、該コンテンツを表す第１アイコン及びそのリンクを表す第２アイコンのうち一方又は両方の表示形態に反映された画像を、前記画像表示装置に表示させることを特徴とする。
【００５２】
本発明のサイト管理システムによれば、ユーザは、画像表示装置に表示された第１アイコン及び第２アイコンのうち一方又は両方の表示形態を通じて、この第１アイコンにより表されるコンテンツへのアクセス経路の種類ごとのアクセス頻度を把握することができる。これにより、ユーザは、コンテンツの階位やリンク状態を変更する等の対処が可能となる。
【００５３】
さらに、本発明のサイト管理システムは、前記画像制御手段が、第３処理手段により認識されたコンテンツへのアクセス経路の種類ごとのアクセス頻度が、該コンテンツを表す第１アイコンにおける該アクセス経路の種類ごとの部分のサイズに反映された画像を、前記画像表示装置に表示させることを特徴とする。
【００５４】
本発明のサイト管理システムによれば、ユーザは、画像表示装置に表示された第１アイコンの部分ごとのサイズを通じて、この第１アイコンにより表されるコンテンツへのアクセス経路の種類ごとのアクセス頻度を把握することができる。
【００５５】
また、本発明のサイト管理システムは、第３処理手段が、コンテンツの前記アクセス経路の種類として、該コンテンツのリンク経路と、その他の飛び込み経路とを認識することを特徴とする。
【００５６】
本発明のサイト管理システムによれば、ユーザは、画像表示装置に表示された第１アイコンの部分ごとのサイズを通じて、この第１アイコンにより表されるコンテンツへのリンク経路と、（リンク経路を経由しない）飛び込み経路とのそれぞれのアクセス頻度を把握することができる。
【００５７】
さらに、本発明のサイト管理システムは、前記画像制御手段が、前記画像表示装置に表示される画像の視点のユーザによる設定を可能とする視点設定用手段との通信に基づき、ユーザによる設定視点を認識するとともに、該設定視点からの画像を、該画像表示装置に表示させることを特徴とする。
【００５８】
本発明のサイト管理システムによれば、ユーザは、画像表示装置に表示される画像の視点を、視点設定用手段を通じて設定することができる。これにより、ユーザはさまざまな角度や大きさで第１アイコンの仮想の３次元空間における位置及び第２アイコンを含む画像を見て、サイトに置かれたコンテンツの管理状態を正確に把握することができる。
【００５９】
前記課題を解決するための本発明のサイト管理プログラムは、コンテンツが管理されている第１システムとの通信に基づき、コンテンツの階位を認識する第１処理機能と、コンテンツが管理されている第２システムとの通信に基づき、該コンテンツのリンク状態を認識する第２処理機能と、コンテンツへのアクセス履歴を特定するアクセスログ情報が管理されている第３システムとの通信に基づき、コンテンツへのアクセス履歴を認識する第３処理機能と、第１処理機能により認識されたコンテンツの階位が該コンテンツを表す第１アイコンの仮想空間における位置に反映され、第２処理機能により認識されたコンテンツのリンク状態が該コンテンツを表す第１アイコン及びそのリンクを表す第２アイコンのうち一方又は両方の表示形態に反映され、且つ、第３処理機能により認識されたコンテンツへのアクセス履歴が、該コンテンツを表す第１アイコン及びそのリンクを表す第２アイコンのうち一方又は両方の表示形態に反映された画像を、画像表示装置に表示させる画像制御機能とを、インストール先のコンピュータに付与することを特徴とする。
【００６０】
本発明のサイト管理プログラムによれば、前記サイト管理システムと同様、ユーザは、画像表示装置に表示された画像を通じて、サイトに置かれたコンテンツの階位（主従関係）、リンク状態、アクセス履歴により表されるコンテンツの総合的な管理状態を容易に把握することができる。これにより、ユーザは、コンテンツの総合的な管理状態に応じた適切な対処をして、適切且つ容易にサイトを管理・運営することができる。
【発明を実施するための最良の形態】
【００６１】
本発明のサイト管理システム及びサイト管理プログラムの実施形態について図面を用いて説明する。
【００６２】
図１は本発明の一実施形態におけるサイト管理システムの構成説明図であり、図２〜図７は本発明の一実施形態におけるサイト管理システム及びサイト管理プログラムの機能説明図である。
【００６３】
まず、本発明の一実施形態におけるサイト管理システムの構成について、図１を用いて説明する。
【００６４】
図１に示すサイト管理システムは、インターネットに接続され、「サイト管理プログラム」がインストールされたサイト管理用コンピュータ１００により構成されている。インターネットには、ウェブページ等のコンテンツを管理するウェブサーバ（第１、第２システム）２１０と、コンテンツへのアクセスログ情報を管理するログサーバ（第３システム）２２０と、コンテンツにアクセスして閲覧する機能等を備えたコンピュータ２３０が接続されている。
【００６５】
サイト管理用コンピュータ１００は、ディスプレー（画像表示装置）１０２と、マウス１０４と、キーボード１０６と、第１処理ユニット１１０と、第２処理ユニット１２０と、第３処理ユニット１３０と、画像制御ユニット１４０とを備えている。各ユニットの機能は、サイト管理用コンピュータ１００が、サイト管理プログラムから付与されたものである。また、各ユニットは、ＣＰＵ、ＲＯＭ、ＲＡＭ、その他の回路等により構成されている。
【００６６】
第１処理ユニット１１０は、ウェブサーバ（第１システム）２１０との通信に基づき、一定の規則に従って、ウェブサーバ２１０により管理されている各コンテンツの「階位」を認識する。
【００６７】
第２処理ユニット１２０は、ウェブサーバ（第２システム）２１０との通信に基づき、ウェブサーバ２１０により管理されている各コンテンツの「リンク状態」を認識する。リンク状態は、リンクの有無、リンク経路の有無、リンク経路に含まれるリンク数、リンク経路数、リンク方向等により特定される。
【００６８】
第３処理ユニット１３０は、ログサーバ（第３システム）２２０との通信に基づき、このログサーバ２２０により管理されている各コンテンツへの「アクセス履歴（アクセスログ情報）」を認識する。アクセス履歴は、アクセス頻度、アクセス回数、アクセス継続時間等により特定される。
【００６９】
画像制御ユニット１４０は、第１処理ユニット１１０、第２処理ユニット１２０、及び第３処理ユニット１３０による認識事項に応じた画像を、ディスプレー１０２に表示させる。
【００７０】
ウェブサーバ２１０は、ウェブページ等のコンテンツを管理するコンテンツ管理ユニット２１２を備えている。
【００７１】
ログサーバ２２０は、ログ解析ユニット２２２と、アクセスログ情報を管理するログ情報管理ユニット２２４とを備えている。ログ解析ユニット２２２は、ウェブサーバ２１０に対するアクセスログをこのウェブサーバ２１０から取得し、当該アクセスログを蓄積してアクセスログ情報を構築する。ログ情報管理ユニット２２４は、ログ解析ユニット２２２により構築されたアクセスログ情報を管理する。
【００７２】
前記構成のサイト管理システムの機能について図２〜図５を用いて説明する。
【００７３】
まず、サイト管理用コンピュータ２１０での所定アプリケーションの起動に応じて、サイト管理用コンピュータ１００からトリガとなるデータやプログラムがウェブサーバ２１０に送信される。続いて、ウェブサーバ２１０が、データに応じて、或いはこのプログラムにより付与された機能の発揮により、コンテンツ管理ユニット２１２からコンテンツ情報を取り出した上で、これをサイト管理用コンピュータ１００に送信する（図２／矢印Ａ１）。
【００７４】
「コンテンツ情報」はＨＴＭＬにより記述されており、コンテンツのインターネット上の存在場所（ＵＲＬ）や、コンテンツにリンクされている他のコンテンツ等の情報を含んでいる。
【００７５】
次に、第１処理ユニット１１０が、サイト管理用コンピュータ１００に送信されてきたコンテンツ情報に基づき「コンテンツがどのディレクトリに存在しているか否か」や「コンテンツがディレクトリの代表コンテンツであるか否か」等を認識する。また、第１処理ユニット１１０は、当該認識に基づき、一定の規則に従ってコンテンツの「階位」を認識する（図２／Ｓ１１０）。
【００７６】
この「規則」は、上位ディレクトリ内のコンテンツの階位が、この上位ディレクトリに従属する下位ディレクトリ内のコンテンツの階位よりも上位であり、且つ、ディレクトリの代表コンテンツの階位が、このディレクトリ内の他のコンテンツの階位より上位であるという規則である。
【００７７】
この規則の理解のため、図３（ａ）に示すように、第１位コンテンツ（トップページ）であるコンテンツＡ(URL:http://xx/index.html)と、コンテンツＢ(URL:http://xx/1.html)と、コンテンツＣ(URL:http://xx/2.html)とが同一のディレクトリに存在する場合の各コンテンツの階位を考える。ＵＲＬが「index.html」で記述されているコンテンツＡが当該ディレクトリの「代表コンテンツ」となる。
【００７８】
この場合、コンテンツＢ及びＣは、コンテンツＡと同一のディレクトリに存在しながら、非代表コンテンツ（ＵＲＬが「index.html」で記述されていないコンテンツ）なので、コンテンツＡよりも「１位」だけ下位となる。従って、第１位コンテンツであるコンテンツＡが第１位であり、コンテンツＢ及びＣは第２位となる。
【００７９】
また、図３（ｂ）に示すように、第１位コンテンツであるコンテンツＡ(URL:http://xx/index.html)が上位ディレクトリに存在し、コンテンツＢ’(URL:http://xx/yy/index.html)と、コンテンツＣ(URL:http://xx/2.html)とがともに１位だけ下位のディレクトリに存在する場合の各コンテンツの階位を考える。URLが「index.html」で記述されているコンテンツＡ及びＢがそれぞれ上位及び下位ディレクトリの「代表コンテンツ」となる。
【００８０】
この場合、コンテンツＢ’及びＣは、ともにコンテンツＡよりも１位だけ下位のディレクトリに存在するので、コンテンツＡよりも「１位」だけ下位となる。また、下位ディレクトリにおいて、コンテンツＢ’が代表コンテンツである一方、コンテンツＣは非代表コンテンツなので、コンテンツＣはコンテンツＢ’よりも「１位」だけ下位となる。従って、第１位コンテンツであるコンテンツＡが第１位であり、コンテンツＢ’は第２位、コンテンツＣが第３位となる。
【００８１】
また、第２処理ユニット１２０が、サイト管理用コンピュータ１００に送信されてきたコンテンツ情報に基づき、コンテンツの「リンク状態」を認識する（図２／Ｓ１２０）。
【００８２】
リンク状態には、コンテンツ間の「リンクの有無」と、各コンテンツと第１位コンテンツとの「リンク経路の有無」と、コンテンツ間の「リンク方向」と、コンテンツ間のリンクが、上位、下位及び同位コンテンツのうちいずれへのリンクであるかということと、コンテンツ間のリンクがフレーム（＝一のコンテンツが閲覧されるときに同時に他のコンテンツ（フレームページ等）も閲覧されるというリンク）であるかということとが含まれる。
【００８３】
さらに、サイト管理用コンピュータ２１０における前記アプリケーションの起動に応じて、サイト管理用コンピュータ１００からトリガとなるデータやプログラムがログサーバ２２０に送信される。続いて、ログサーバ２２０が、データに応じて、或いはこのプログラムにより付与された機能の発揮により、ログ情報管理ユニット２２４からアクセスログ情報を取り出した上で、これをサイト管理用コンピュータ１００に送信する（図２／矢印Ａ２）。
【００８４】
ログ情報管理ユニット２２４により管理されているアクセスログ情報は、ログ解析ユニット２２２が、ウェブサーバ２１０に対する「アクセスログ」を当該ウェブサーバ２１０から受信し（図２／矢印ａ２）、このアクセスログを蓄積して構築したものである。アクセスログ情報には、アクセスされた各コンテンツのＵＲＬ、アクセス開始時刻（ＩＮ）等の情報が含まれている。
【００８５】
続いて、第３処理ユニット１３０が、サイト管理用コンピュータ１００に送信されてきたアクセスログ情報に基づき、各コンテンツの「アクセス履歴」を認識する（図２／Ｓ１３０）。このとき、第３処理ユニット１３０が、当該アクセスログ情報に基づき、アクセス終了時刻（ＯＵＴ）を推定（認識）する。アクセス履歴には、図４に示すようにアクセスされた各コンテンツのＵＲＬ、アクセス開始時刻（ＩＮ）、アクセス終了時刻（ＯＵＴ）等の情報が含まれている。
【００８６】
アクセス履歴は、各コンテンツへのアクセス頻度が含まれている。アクセス頻度は、アクセス回数や、１回あたりのアクセス継続平均時間そのもの、或いはアクセス回数が多くなるほど、アクセス継続平均時間が長くなるほど大きく算出されるパラメータによって表される。
【００８７】
そして、画像制御ユニット１４０が、第１処理ユニット１１０により認識されたコンテンツの「階位」と、第２処理ユニット１２０により認識されたコンテンツの「リンク状態」と、第３処理ユニット１３０により認識されたコンテンツの「アクセス履歴」とを反映させた画像を、ディスプレー１０２に表示させる（図２／Ｓ１４０）。
【００８８】
画像制御ユニット１４０により、ディスプレー１０２に表示される画像について、図５を用いて説明する。
【００８９】
ディスプレー１０２において、各コンテンツは球状の「第１アイコン」Ｑ，Ｑ１，・・により表されている。コンテンツがディレクトリの「代表コンテンツ」又は「非代表コンテンツ」であることは、当該コンテンツを表す第１アイコンの色彩により表されている。具体的には、第１アイコンＱ，Ｑ２〜Ｑ６，Ｑ５３，Ｑ６１に「青色（図中黒色）」が付されることで、これら第１アイコンにより表されているコンテンツがそれぞれ「代表コンテンツ」であることが表されている。また、第１アイコンＱ２１，Ｑ２２，Ｑ２３，Ｑ３１，Ｑ３２，Ｑ３３，Ｑ５１，Ｑ５２，Ｑ６２，Ｑ６３，Ｑ５３１〜Ｑ５３７に「白色」が付されることで、これらの第１アイコンにより表されているコンテンツがそれぞれ「非代表コンテンツ」であることが表されている。
【００９０】
各コンテンツの「階位」は、第１アイコンＱ，Ｑ１，・・の「仮想的な３次元空間における位置」により表されている。具体的には、第１アイコンＱが全ての第１アイコンの中で最も上に位置されていることで、第１アイコンＱにより表されているコンテンツが第１位コンテンツ（トップページ）であることが表されている。また、第１アイコンＱ１〜Ｑ６が第１位コンテンツを表す第１アイコンＱより２階位分だけ低く位置していることで、これら第１アイコンにより表されているコンテンツがそれぞれ第３位コンテンツであることが表されている。さらに、第１アイコンＱ１１〜Ｑ１５，Ｑ２１〜Ｑ２３，Ｑ３１〜Ｑ３３，Ｑ５１〜Ｑ５３，Ｑ６１〜Ｑ６３が、第３位コンテンツを表す第１アイコンＱ１〜Ｑ６より１階位分だけ低く位置していることで、これら第１アイコンにより表されているコンテンツが第４位コンテンツであることが表されている。また、Ｑ５３１〜Ｑ５３７を表す第１アイコンが、第４位コンテンツを表す第１アイコンＱ１１〜Ｑ１５，Ｑ２１〜Ｑ２３，Ｑ３１〜Ｑ３３，Ｑ５１〜Ｑ５３，Ｑ６１〜Ｑ６３より１階位分だけ低く位置していることで、これら九対により表されているコンテンツが第５位コンテンツであることが表されている。
【００９１】
コンテンツ間の「リンク状態」は、第１アイコンや、矢印形状の第２アイコンの表示形態により表されている。
【００９２】
具体的には、コンテンツ間の「リンクの有無」は、第２アイコンの有無により表されている。第１アイコンＱ及びＱ２を結ぶ第２アイコンＰ１及びＰ２が表示されていることにより、第１アイコンＱ及びＱ２によりそれぞれ表されているコンテンツがリンクされていることが表されている。一方、第１アイコンＱ及びＱ１を結ぶ第２アイコンが表示されていないことにより、第１アイコンＱ及びＱ１により表されるコンテンツがリンクされていないことが表されている。
【００９３】
あるコンテンツと、第１位コンテンツとの「リンク経路」の有無は、当該コンテンツを表す第１アイコンの色彩により表されている。具体的には、第１アイコンＱ１，Ｑ１１〜Ｑ１５に「赤色（図中斜線）」が付されることで、これら第１アイコンにより表されているコンテンツと、第１位コンテンツとのリンク経路がないことが表されている。
【００９４】
コンテンツ間の「リンク方向」は、当該コンテンツを表す第１アイコンを結ぶ矢印形状の第２アイコンの当該矢印の向きにより表されている。第１アイコンＱ及び第１アイコンＱ２が、第１アイコンＱから第１アイコンＱ２に向かう矢印形状の第２アイコンＰ１で結ばれることで、第１アイコンＱにより表されるコンテンツから、第１アイコンＱ２により表されるコンテンツへの移動が可能であることが表されている。また、第１アイコンＱ及び第１アイコンＱ２が、第１アイコンＱ２から第１アイコンＱに向かう矢印形状の第２アイコンＰ２で結ばれることで、第１アイコンＱ２により表されるコンテンツから、第１アイコンＱにより表されるコンテンツへの移動が可能であることが表されている。
【００９５】
あるコンテンツからのリンクが、上位、下位及び同位コンテンツのうちいずれへのリンクであるかということは、第２アイコンの色彩により表されている。具体的には、第１アイコンＱから第１アイコンＱ２に向かう矢印形状の第２アイコンＰ１に「水色」が付されることで、第２アイコンＰ１により表されているリンクが「下位コンテンツへのリンク」であることが表現されている。また、第１アイコンＱ２から第１アイコンＱに向かう矢印形状の第２アイコンＰ２に「黄色」が付されることで、第２アイコンＰ２により表されているリンクが「上位コンテンツへのリンク」であることが表現されている。さらに、第１アイコンＱ５３１から第１アイコンＱ５３５に向かう矢印形状の第２アイコンＰ３に「黒色」が付されることで、第２アイコンＰ３により表されているリンクが「同位コンテンツへのリンク」であることが表現されている。
【００９６】
コンテンツ間のリンクが、フレーム（＝一のコンテンツが閲覧されるときに同時に他のコンテンツ（フレームページ等）も閲覧されるというリンク）であることが、当該コンテンツを表す第１アイコンを結ぶ棒状の第２アイコンの色彩により表現されている。具体的には、第１アイコンＱ２及び第１アイコンＱ２２とを結ぶ棒状の第２アイコンＰ４に「緑色」が付されることで、第１アイコンＱ２及びＱ２２により表されているコンテンツ間のリンクがフレームであることが表現されている。
【００９７】
コンテンツが、第１アイコンとしてディスプレー１０２に表示されていない外部コンテンツとの外部リンクを有することが、コンテンツに付された棒状の第２アイコンに付された色彩により表されている。具体的には、第１アイコンＱ６の上方に向かう直線状の第２アイコンＰ５に「紫色」が付されることにより、第１アイコンＱ６により表されているコンテンツが外部リンクを有することが表されている。なお、外部リンクには、外部リンクからのリンクと、外部リンクへのリンクとが含まれており、それぞれを表す第２アイコン（図示略）が異なる色彩が付される等、視覚的に識別可能にディスプレー１０２に表示されてもよい。
【００９８】
リンクの行先に他のコンテンツが存在しないことが、リンク元のコンテンツを表す第１アイコンから伸びる矢印形状の第２コンテンツに「赤色」が付されることにより表されている。具体的には、第１アイコンＱから右斜め下方に伸びる第２アイコンＰ６に「赤色」が付されることにより、第２アイコンＰ６により表されているリンクの行先となるコンテンツが存在しないことが表されている。
【００９９】
コンテンツへのアクセス頻度の高低が、当該コンテンツを表す第１アイコンの大小により表されている。具体的には、第１アイコンＱ６が第１アイコンＱ３より大径の第１アイコンとして表現されることにより、第１アイコンＱ６により表されているコンテンツのアクセス頻度が、第１アイコンＱ３により表されているコンテンツのアクセス頻度より高いことが表されている。
【０１００】
また、第１アイコンがクリックされることで、当該第１アイコンにより表されているコンテンツに関する情報がディスプレー１０２に表示されてもよい。図５では、第１アイコンＱ６がクリックされ、第１アイコンＱ６により表されているコンテンツに関する情報（○○・・、●●・・）が、第１アイコンＱ６の右側に表示されている。
【０１０１】
さらに、第１アイコンがクリックされることで、当該第１アイコンにより表されているコンテンツそのものがディスプレー１０２に表示されてもよい。
【０１０２】
前記機能を発揮する本発明のサイト管理システムによれば、ユーザは、ディスプレー１０２に表示された画像を通じて、サイトに置かれたコンテンツの階位、リンク状態、アクセス履歴により表されるコンテンツの総合的な管理状態を容易に認識することができる。そして、ユーザは、適切且つ容易にサイトを管理・運営することができる。
【０１０３】
具体的には、ユーザは、第１アイコンの位置に応じて、当該第１アイコンにより表されているコンテンツの階位を把握することができる。ユーザは、例えば、第１アイコンＱが第１位コンテンツを表しており、第１アイコンＱ１〜Ｑ６が第３位コンテンツを表していることを把握することができる。これにより、ユーザは、第１アイコンＱ６により表されているコンテンツの階位を第２位に変更する等の対処が可能となる。
【０１０４】
また、ユーザは、第１アイコンに「青色」及び「白色」のいずれが付されているかに応じ、当該第１アイコンにより表されているコンテンツがディレクトリの「代表コンテンツ」及び「非代表コンテンツ」のいずれであるかを把握することができる。例えば、ユーザは、青色が付されている第１アイコンＱ４等が代表コンテンツを表しており、白色が付されている第１アイコンＱ６３等が非代表コンテンツであることを把握することができる。これにより、ユーザは、第１アイコンＱ６１で表される代表コンテンツを非代表コンテンツに変更する等の対処が可能となる。
【０１０５】
さらに、ユーザは、第１アイコンに「赤色」が付されているか否かに応じて、当該第１アイコンにより表されているコンテンツと、第１位コンテンツとのリンク経路の有無を把握することができる。例えば、ユーザは、赤色が付されている第１アイコンＱ１，Ｑ１１〜Ｑ１５により表されているコンテンツが、第１アイコンＱにより表されている第１位コンテンツとのリンク経路がないことを把握することができる。これにより、ユーザは、第１アイコンＱ１により表されているコンテンツを第１位コンテンツや、第１位コンテンツとのリンク経路があるコンテンツ（赤色が付されていない第１アイコンにより表されている。）にリンクさせる等の対処が可能となる。
【０１０６】
また、ユーザは、矢印形状の第２アイコンの当該矢印の向きに応じて、コンテンツの「リンク方向」を把握することができる。例えば、ユーザは、第１アイコンＱと第１アイコンＱ３とを結ぶ第２アイコンの矢印の向きに応じて、第１アイコンＱにより表されているコンテンツから、第１アイコンＱ３により表されているコンテンツへのアクセスが可能である一方、その逆のアクセスは不可能であることを把握することができる。これにより、ユーザは、当該逆のアクセスを可能とすることで、第１アイコンＱ及びＱ３により表されているコンテンツ間の相互アクセスを可能とる等の対処が可能となる。
【０１０７】
さらに、ユーザは、第１アイコンを結ぶ矢印形状の第２アイコンに「水色」「黄色」及び「黒色」のいずれが付されているかに応じて、矢印により表されているリンクが上位、下位及び同位コンテンツのいずれへのリンクであるかを把握することができる。例えば、ユーザは、第１アイコンＱから第１アイコンＱ２に向かう矢印形状の第２アイコンＰ１に「水色」が付されていることに応じて、第２アイコンＰ１により表されているリンクが「下位コンテンツへのリンク」であることを把握することができる。また、ユーザは、第１アイコンＱ２から第１アイコンＱに向かう矢印形状の第２アイコンＰ２に「黄色」が付されていることに応じて、第２アイコンＰ２により表されているリンクが「上位コンテンツへのリンク」であることを把握することができる。さらに、ユーザは、第１アイコンＱ５３１から第１アイコンＱ５３５に向かう矢印形状の第２アイコンＰ３に「黒色」が付されていることに応じて、第２アイコンＰ３により表されているリンクが「同位コンテンツへのリンク」であることを把握することができる。これにより、ユーザは、コンテンツのリンク状態を変更する等の対処が可能となる。
【０１０８】
また、ユーザは、「緑色」が付されている棒状の第２アイコンにより第１アイコンが結びつけられていることに応じて、当該第２アイコンにより表されているリンクがフレームであることを把握することができる。例えば、ユーザは第１アイコンＱ２と第１アイコンＱ２２とを連結する棒状の第２アイコンＰ４に「緑色」が付されていることを通じて、第２アイコンＰ４により表されているリンクがフレームであり、第１アイコンＱ２により表されているコンテンツが閲覧されるとき、第１アイコンＱ２２により表されているコンテンツも同時に閲覧可能であることを把握することができる。
【０１０９】
さらに、ユーザは、第１アイコンの上方に「紫色」が付された直線状の第２アイコンが付されていることに応じて、当該第２アイコンにより表されているリンクが「外部リンク」であることを把握することができる。例えば、ユーザは、第１アイコンＱ６の上方に伸びる紫色が付された直線状の第２アイコンに応じて、第１アイコンＱ６により表されているコンテンツが、画像中第１アイコンにより表現されていない外部コンテンツとの外部リンクを有することを把握することができる。
【０１１０】
また、ユーザは、第２アイコンに「赤色」が付されていることにより、当該第２アイコンにより表されているリンクの行先となるコンテンツが存在しないことを視覚的に把握することができる。例えば、ユーザは、第１アイコンＱから右斜め下方に伸びる第２アイコンＰ６に「赤色」が付されることにより、第２アイコンＰ６により表されているリンクの行先となるコンテンツが存在しないことを把握することができる。
【０１１１】
また、ユーザは、第１アイコンの大小を通じて、当該第１アイコンにより表されているコンテンツへのアクセス頻度の高低を視覚的に把握することができる。例えば、ユーザは、第１アイコンＱ６が第１アイコンＱ３より大径なので、第１アイコンＱ６により表されているコンテンツのアクセス頻度が、第１アイコンＱ３により表されているコンテンツのアクセス頻度より高いことを把握することができる。
【０１１２】
なお、前記実施形態ではサイト管理用コンピュータ１００と、ウェブサーバ２１０と、ログサーバ２２０とは別個のものであったが、他の実施形態としてサイト管理用コンピュータ１００と、ウェブサーバ２１０及びログサーバ２２０のうち一方又は両方とが共通のコンピュータにより構成されてもよい。また、ウェブサーバ２１０及びログサーバ２２０が共通のサーバにより構成されていてもよい。
【０１１３】
また、前記実施形態では画像制御ユニット１４０によりサイト管理用コンピュータ１００のディスプレー１０２に図５に示すような画像が表示されたが、他の実施形態として画像制御ユニット１４０がネットワークを介してコンピュータ２３０にこの画像を表示するために必要なデータやプログラムを送信し、当該コンピュータ２３０の画像表示装置に当該画像を表示させてもよい。
【０１１４】
前記実施形態ではディレクトリの階位と、代表コンテンツ及び非代表コンテンツの別とに基づきコンテンツの階位が認識されたが（図２／Ｓ１１０、図３参照）、他の実施形態としてディレクトリの階位のみによってコンテンツの階位が決定（認識）されてもよい。この場合、ディレクトリの構造が第１アイコンの色彩等により表現されてもよい。また、第１位コンテンツ（トップページ）からのアクセス数等、種々の基準によってコンテンツの階位が認識されてもよい。
【０１１５】
前記実施形態ではコンテンツが「第１アイコン」により表現されたが、他の実施形態として立方体、円盤体、円錐体等、第１アイコン以外のあらゆる形状体により表現されてもよい。
【０１１６】
また、画像制御ユニット１４０によりディスプレー１０２に表示されるコンテンツの「リンク状態」や「アクセス履歴」が反映された画像は、前記実施形態とは異なるさまざまな形態で表現されてもよい。
【０１１７】
例えば、前記実施形態ではコンテンツと第１位コンテンツとのリンク経路がないというリンク状態が、当該コンテンツを表す第１アイコンに「赤色」が付されることで表現されたが（図５参照）、他の実施形態として当該リンク状態が、第１アイコンの形状、赤色以外の色彩、模様等により表現されてもよく、当該コンテンツのリンクを表す第２アイコンの形状、赤色等の色彩、模様等により表現されてもよい。
【０１１８】
また、前記実施形態ではリンクの有無、リンク方向等が、矢印形状の第２アイコンの表示の有無、矢印の向き等により表現されているが、他の実施形態としてリンクの有無、リンク方向等が第１アイコンを結びつける第２アイコンのさまざまな形状、色彩、模様により表現されてもよい。
【０１１９】
さらに、前記実施形態ではアクセス頻度の高低が第１アイコンのサイズの大小により表現されたが（図５参照）、他の実施形態としてアクセス頻度が第１アイコンの色彩、模様、形状等により表現されてもよく、この第１アイコンに結び付けられた矢印形状・棒状の第２アイコンの太さ、色彩、模様等により表現されてもよい。
【０１２０】
例えば、画像制御ユニット１４０により、図６に示されているような画像がディスプレー１０２に表示されてもよい。図６に示されている画像は、第１アイコンのサイズの大小により、当該第１アイコンにより表されているコンテンツのアクセス頻度の高低が表されている点等において、図５に示されている画像と一致している。ここでは、図５に示されている画像と相違する点についてのみ説明する。
【０１２１】
まず、リンクが全て棒状（直線状）の第２アイコンにより表現されている。
【０１２２】
また、リンクを通じたアクセス頻度の高低が、棒状の第２アイコンの太さにより表されている。従って、例えば、第１アイコンＱ６，Ｑ６３を結ぶ太い第２アイコンにより表されているリンクを経由したアクセス頻度が、第１アイコンＱ，Ｑ２を結ぶ細い第２アイコンにより表されているリンクを経由したアクセス頻度よりも高いことをユーザに視覚的に把握させることができる。
【０１２３】
また、リンクを経由したアクセスがまったくないことが、当該リンクを表す第２アイコンに「赤色」が付されることにより表現されている。従って、例えば、第１アイコンＱ１と、第１アイコンＱ１１〜Ｑ１５とを結ぶ第２アイコンに赤色が付されていることを通じて、第１アイコンＱ１，Ｑ１１〜Ｑ１５により表されているコンテンツへのアクセスが皆無であることをユーザに視覚的に把握させることができる。
【０１２４】
さらに、本システムが、コンテンツサーバ２１０との通信に基づき、コンテンツを通じて閲覧可能な「情報の種類」を認識する「第４処理ユニット（図示略）」を備え、画像制御ユニット１４０が、第４処理ユニットにより認識されたコンテンツの「情報種類」を、コンテンツを表す第１アイコン及びこのコンテンツのリンクを表す第２アイコンのうち一方又は両方の表示形態に反映させた画像をディスプレー１０２に表示させてもよい。例えば、コンテンツの情報種類が「音楽」に関するものであれば、当該コンテンツがバイオリン等の楽器を模した第１アイコンにより表現されたり、コンテンツの情報種類が「動物」に関するものであれば、当該コンテンツがキリンやライオン等の動物を模した第１アイコンにより表現されてもよい。
【０１２５】
本発明の当該実施形態によれば、ユーザは、ディスプレー１０２に表示された画像を通じて、コンテンツの情報種類を容易に認識することができる。これにより、ユーザは、情報種類が同一又は類似するコンテンツをリンクさせる等の対処により、サイトを適切に管理することができる。
【０１２６】
前記実施形態ではコンテンツのリンク状態として「リンクの有無」「第１位コンテンツとのリンク経路の有無」等が第２処理ユニット１２０により認識されたが（図２／Ｓ１２０参照）、他の実施形態として「リンクに伴う階位変化」「所定コンテンツとのリンク経路に含まれるリンク数」「所定コンテンツとのリンク経路数」等の他のリンク状態が認識されてもよい。そして、当該他の実施形態において、画像制御ユニット１４０が、リンクに伴う階位変化等のリンク状態に応じて第１アイコン及び第２アイコンのうち一方又は両方の表示形態に反映させた画像を画像制御ユニット１０２に表示させてもよい。
【０１２７】
本発明の当該他の実施形態によれば、ユーザは、ディスプレー１０２に表示された画像を通じて、各コンテンツと所定コンテンツとの「リンク経路に含まれるリンク数」等を認識することができる。そして、ユーザは、コンテンツと所定コンテンツとの中間にあるリンク状態を変更する等の対処が可能となる。
【０１２８】
前記実施形態ではコンテンツと「第１位コンテンツ（図４の第１アイコンＱ参照）」とのリンク状態が第２処理ユニット１２０により認識されたが、他の実施形態としてコンテンツと、第１位コンテンツとは別個の「所定コンテンツ」とのリンク状態が認識されてもよい。また、第２処理ユニット１２０が、サイト管理用コンピュータ１００が備えているマウス（コンテンツ指定用手段）１０４により、マウスポインタが位置合わせされた第１アイコンにより表されるコンテンツを所定コンテンツとして認識してもよい。
【０１２９】
本発明の当該実施形態によれば、ユーザは、画像表示装置に表示された画像を通じて、コンテンツ指定用手段を通じて自己又は他のユーザにより指定されたコンテンツと、各コンテンツとのリンク経路の有無等を把握することができる。
【０１３０】
また、画像制御ユニット１４０が、サイト管理用コンピュータ１００が備えているマウス１０４により、マウスポインタが位置合わせされた第２アイコンにより表されるリンクを有するコンテンツの「アクセス履歴」をディスプレー１０２に表示させてもよい。例えば、外部リンクを表す紫色の第２アイコンＰ５にマウスポインタが位置合わせされたとき、第１アイコンＱ６により表されているコンテンツへの外部リンクを通じたアクセス履歴（図４参照）がディスプレー１０２に表示されてもよい。
【０１３１】
本発明の当該実施形態によれば、ユーザは、マウス（コンテンツ指定用手段）１０４を通じて、ディスプレー１０２に表示された矢印・線（第２アイコン）により表されるリンクを指定することで、当該指定リンクによりリンクされたコンテンツへのアクセス履歴を把握することができる。これにより、ユーザは、コンテンツの階位やリンク状態を変更する等の対処が可能となる。
【０１３２】
また、第３処理ユニット１３０が、コンテンツへのアクセス経路の種類ごとのアクセス頻度を認識し、画像制御ユニット１４０がこのアクセス経路の種類ごとのアクセス頻度を、第１アイコン及び第２アイコンのうち一方又は両方の表示形態（サイズ、色彩等）に反映させた画像を、ディスプレー１０２に表示させてもよい。例えば、緑色が付された第２アイコンＰ５に結び付けられた第１アイコンＱ６により現されるコンテンツについて、第２アイコンＰ５により表される外部リンクを通じたアクセス頻度と、その他のリンクを通じたアクセス頻度との比率が、図７に示すように第１アイコンＱ６の外側部分（図中縦線部分）と内側部分（図中横線部分）とのサイズの比率として表されてもよい。外側部分と内側部分とは、色彩や模様により区分されていてもよい。
【０１３３】
本発明の当該実施形態によれば、ユーザは、ディスプレー１０２に表示された画像を通じて、コンテンツへのアクセス経路の種類ごとのアクセス頻度を認識することができる。例えば、ユーザは、図７に示す第１アイコンＱ６の外側及び内側部分のサイズ比率を通じて、第１アイコンＱ６により表されているコンテンツについて、外部リンクを通じたアクセス頻度と、その他のリンクを通じたアクセス頻度との比率を把握することができる。そして、ユーザは、コンテンツの階位やリンク状態を変更する等の対処により、より適切にサイトを管理することができる。
【０１３４】
また、第３処理ユニット１３０が、コンテンツのアクセス経路の種類として、コンテンツの通常のリンク経路と、ブックマーク等を通じた飛び込み経路とを認識し、画像制御ユニット１４０が、コンテンツへの当該リンク経路を通じたアクセス頻度と、飛び込み経路を通じたアクセス頻度との比率を、当該コンテンツを表す第１アイコンの表示形態に反映させた画像をディスプレー１０２に表示させてもよい（図７参照）。さらに、アクセス経路は、アクセス元の国や地域の別（例えば、日本からのアクセス又は海外からのアクセス）や、アクセス元のコンピュータ２３０のＯＳの種類の別やブラウザの種類の別に応じて分類されてもよい。
【０１３５】
さらに、画像制御ユニット１４０が、ディスプレー１０２に表示される画像の視点のユーザによる設定を可能とするマウス１０４やキーボード１０６（視点設定用手段）との通信に基づき、ユーザによる「設定視点」を認識するとともに、この「視点」からの画像を、ディスプレー１０２に表示させてもよい。
【０１３６】
本発明の当該実施形態によれば、ユーザは、ディスプレー１０２に表示される画像の視点を、キーボード等を通じて設定することができる。これにより、ユーザはさまざまな角度や大きさで第１アイコンの仮想の３次元空間における位置及び第２アイコンを含む画像を見て、サイトに置かれたコンテンツの管理状態を正確に把握することができる。
【０１３７】
また、ディスプレー１０２に表示される第１コンテンツの数やリンクの数等、情報量がユーザの意思に応じて制限されてもよい。例えば、画像制御ユニット１４０が、代表コンテンツを表す第１アイコンのみがディスプレー１０２に表示させたり、ユーザによる指定範囲内のコンテンツを表す第１アイコンのみがディスプレー１０２に表示させてもよい。これにより、膨大な量のＨＴＭＬが存在する場合でも、適切な数のアイコンがディスプレー１０２に表示され得る。
【図面の簡単な説明】
【０１３８】
【図１】本発明の一実施形態におけるサイト管理システムの構成説明図
【図２】本発明の一実施形態におけるサイト管理システムの機能説明図
【図３】本発明の一実施形態におけるサイト管理システムの機能説明図
【図４】本発明の一実施形態におけるサイト管理システムの機能説明図
【図５】本発明の一実施形態におけるサイト管理システムの機能説明図
【図６】本発明の一実施形態におけるサイト管理システムの機能説明図
【図７】本発明の一実施形態におけるサイト管理システムの機能説明図
【符号の説明】
【０１３９】
１００‥サイト管理用コンピュータ（サイト管理システム）、１０２‥ディスプレー（画像表示装置）、１０４‥マウス（コンテンツ指定用手段、視点設定用手段）、１０６‥キーボード（視点設定用手段、）、１１０‥第１処理ユニット、１２０‥第２処理ユニット、１３０‥第３処理ユニット、１４０‥画像処理ユニット、２１０‥ウェブサーバ（第１システム、第２システム）、２１２‥コンテンツ管理ユニット、２２０‥ログサーバ（第３システム）、２２２‥ログ解析ユニット、２２４‥ログ情報管理ユニット、２３０‥コンピュータ
【図１】
2005293251.tif 000003
【図２】
2005293251.tif 000004
【図３】
2005293251.tif 000005
【図４】
2005293251.tif 000006
【図５】
2005293251.tif 000007
【図６】
2005293251.tif 000008
【図７】
2005293251.tif 000009